(57)【要約】【課題】カバー部が閉じられた状態において可動ガイド部材を基準位置に正しく保持するための簡易な機構を実現すること。【解決手段】画像形成装置が、経路（３０１）の幅方向において可撓性を有し、シートガイド部（８２）が経路（３０１）に架け渡された状態で上下方向に移動可能に支持された可動ガイド部材（８０）と、可動ガイド部材（８０）における経路（３０１）の左右の端の外側の位置の下部で固定部に載置されることにより、可動ガイド部材（８０）を基準位置に保持する２つの脚部（８３）と、可動ガイド部材（８０）における経路（３０１）の左右の端から内側へ所定距離隔てた位置に上方へ突出して設けられた複数の突起部（８４）と、カバー部（５）の内側に設けられ、可動ガイド部材（８０）が基準位置にあってカバー部（５）が閉じられた状態において、複数の突起部（８４）に上方から近接する規制部（９１）とを備える。【選択図】図２
2011063334.tif 000002
【特許請求の範囲】
【請求項１】
シート材の搬入部が配置された領域を外側から開閉可能に支持されたカバー部と、閉じられた前記カバー部における前記搬入部に連通する部分を外側から開閉可能に支持され、開かれた状態において前記搬入部へ供給される前記シート材が載置される開閉式シートトレイと、を備えた画像形成装置であって、
前記シート材を前記搬入部から後段へ続く既定の経路に沿って案内するシートガイド部が形成され、前記既定の経路の幅方向において可撓性を有し、前記シートガイド部が前記既定の経路に架け渡された状態で上下方向に移動可能に支持された可動ガイド部材と、
前記可動ガイド部材における前記既定の経路の左右の端の外側の位置の下部に設けられ、所定の固定部に載置されることにより、前記可動ガイド部材を、前記シートガイド部が前記既定の経路に沿う基準位置に保持する２つの脚部と、
前記可動ガイド部材における前記既定の経路の左右の端から内側へ所定距離隔てた位置に上方へ突出して設けられた複数の突起部と、
前記カバー部の内側に設けられ、前記可動ガイド部材が前記基準位置にあって前記カバー部が閉じられた状態において、前記複数の突起部に上方から近接する規制部と、
を備えることを特徴とする画像形成装置。
【請求項２】
シート材の搬入部が配置された領域を外側から開閉可能に支持されたカバー部と、閉じられた前記カバー部における前記搬入部に連通する部分を外側から開閉可能に支持され、開かれた状態において前記搬入部へ供給される前記シート材が載置される開閉式シートトレイと、を備えた画像形成装置であって、
前記シート材を前記搬入部から後段へ続く既定の経路に沿って案内するシートガイド部が形成され、前記既定の経路の幅方向において可撓性を有し、前記シートガイド部が前記既定の経路に架け渡された状態で上下方向に移動可能に支持された可動ガイド部材と、
前記可動ガイド部材における前記既定の経路の左右の端の外側の位置の下部に設けられ、所定の固定部に載置されることにより、前記可動ガイド部材を、前記シートガイド部が前記既定の経路に沿う基準位置に保持する２つの脚部と、
前記可動ガイド部材における前記既定の経路の左右の端から内側へ所定距離隔てた位置に上方へ突出して設けられた複数の突起部と、
前記カバー部の内側に設けられ、前記可動ガイド部材が前記基準位置にあって前記カバー部が閉じられた状態において、前記複数の突起部に上方から接する規制部と、
を備えることを特徴とする画像形成装置。
【請求項３】
前記シートガイド部に、前記シート材の搬送方向を長手方向とする複数のリブが形成されている、
請求項１に記載の画像形成装置。
【請求項４】
前記可動ガイド部材は、一体成型された樹脂の部材である、
請求項３に記載の画像形成装置。
【発明の詳細な説明】
【技術分野】
【０００１】
本発明は、画像形成装置に関し、特に、開閉式のシートトレイから供給されるシート材を既定の経路に導く可動式のガイド部の保持機構に特徴がある画像形成装置に関するものである。
【背景技術】
【０００２】
一般に、電子写真方式の画像形成装置は、紙又はＰＥＴ製シート等のシート材を既定の経路に沿って搬送しつつ、そのシート材に対しトナー像の転写及び加熱定着を行う。その際、搬送中のシート材は、ガイド部によって既定経路に沿うように導かれる。また、シート材の搬送方向の変化が急激な位置には、可動式のガイド部材と、その可動式のガイド部材が配置された領域を開閉可能に支持されたカバー部とが設けられることが多い。以下、そのような可動式のガイド部材を可動ガイド部材と称する。
【０００３】
シート材は、例えば、給紙部から画像の転写部に至る区間において、横に倒された状態から縦方向に伸びる経路へ搬送される際に、比較的急なカーブで約９０°の方向転換が行われる。また、上方向に搬送しながらシート材に転写されたトナー像を加熱定着する定着装置から、シート材を横方向に排出する排紙ローラに至る区間でも、シート材は、比較的急なカーブで約９０°の方向転換が行われる。そのため、前記可動ガイド部材は、給紙部から画像の転写部に至る区間、及び定着装置から排出部に至る区間に配置されることが多い。
【０００４】
前記可動ガイド部材は、シート材を既定の経路に導くシートガイド部が既定の経路に沿う第１の位置と、そのシートガイド部が既定の経路から離間する第２の位置との間で移動可能に支持される。以下、前記第１の位置のことを基準位置と称し、前記第２の位置のことを待避位置と称する。前記可動ガイド部材が前記待避位置に移動されれば、シート材の経路が解放されるため、画像形成装置は、シート材の詰まりを容易に解除できる状態となる。
【０００５】
一方、画像形成装置は、シート材の搬送経路の入口である搬入部へ供給されるシート材が載置される開閉式シートトレイを備えるものが多い。この開閉式シートトレイは、一般に、手差しトレイと称される。そのような画像形成装置は、前記搬入部が配置された領域を外側から開閉可能に支持されたカバー部を備えている。そして、前記開閉式シートトレイは、閉じられた前記カバー部における前記搬入部に連通する部分を外側から開閉可能に支持され、開かれた状態において前記搬入部へ供給される前記シート材が載置される。
【０００６】
そして、前記可動ガイド部材は、前記開閉式シートトレイから供給されるシート材を、前記搬入部の後段において案内するために設けられることも多い。そのような可動ガイド部材は、シート材を前記搬入部から後段へ続く既定の経路に沿って案内するシートガイド部が形成されている。さらに、その可動ガイド部材は、前記シートガイド部が前記既定の経路に架け渡された状態で上下方向に移動可能に支持される。
【０００７】
ところで、厚みの大きな用紙等、腰の強いシート材が用いられると、前記可動ガイド部材の位置が前記基準位置からずれて、シート材の詰まりが生じやすくなる。また、前記開閉式シートトレイから供給されるシート材を案内する前記可動ガイド部材は、前記搬入部が外部に解放された状態でシート材を案内する。そのため、前記開閉式シートトレイから供給されるシート材を案内する前記可動ガイド部材は、シート材の押圧力によって揺動すると、それを支持する部分に連続的に衝突して音を発生し、その音が、前記搬入部から外部に漏れて大きな騒音となる。
【０００８】
従って、カバー部が閉じられた状態では、前記可動ガイド部材が前記基準位置に正しく保持されることが重要である。例えば、特許文献１には、カバー部の開閉に連動して開閉する可動ガイド部材が開く際に、その可動ガイド部材を閉じる方向に付勢する付勢部材を備えた画像形成装置について開示されている。
【先行技術文献】
【特許文献】
【０００９】
【特許文献１】特開２００６−２５１４７０号公報
【発明の概要】
【発明が解決しようとする課題】
【００１０】
しかしながら、特許文献１に示される画像形成装置は、前記可動ガイド部材と前記カバー部とを連動させる機構が必要であり、それが組立工数及びコストの増大につながるという問題点があった。
【００１１】
一方、前記カバー部の内側に、前記可動ガイド部材に接触することによって前記可動ガイド部を位置決めする突起部を設けることが考えられる。この突起部は、前記カバー部が閉じられた状態で前記可動ガイド部に直接接触する。
【００１２】
しかしながら、その構成では、前記カバー部を閉じる操作の勢いが余って、前記突起部が剛性の強い前記可動ガイド部に衝突し、前記可動ガイド部又は前記突起部が破損するという問題が生じ得る。通常、前記カバー部は、閉じられた状態の保持及びその状態の解除のためのロック機構を備え、そのロック機構で保持される前に、一時的に閉状態での保持位置よりも本体装置の内側へ入り込む構造を有しているからである。
【００１３】
本発明は、カバー部が閉じられた状態において可動ガイド部材を基準位置に正しく保持するための簡易な機構を備えた画像形成装置を提供することを目的とする。
【課題を解決するための手段】
【００１４】
上記目的を達成するために、本発明に係る画像形成装置は、以下に示される各構成要素を備える。第１の構成要素は、シート材の搬入部が配置された領域を外側から開閉可能に支持されたカバー部である。第２の構成要素は、閉じられた前記カバー部における前記搬入部に連通する部分を外側から開閉可能に支持され、開かれた状態において前記搬入部へ供給される前記シート材が載置される開閉式シートトレイである。第３の構成要素は、前記シート材を前記搬入部から後段へ続く既定の経路に沿って案内するシートガイド部が形成され、前記既定の経路の幅方向において可撓性を有し、前記シートガイド部が前記既定の経路に架け渡された状態で上下方向に移動可能に支持された可動ガイド部材である。第４の構成要素は、前記可動ガイド部材における前記既定の経路の左右の端の外側の位置の下部に設けられ、所定の固定部に載置されることにより、前記可動ガイド部材を、前記シートガイド部が前記既定の経路に沿う基準位置に保持する２つの脚部である。第５の構成要素は、前記可動ガイド部材における前記既定の経路の左右の端から内側へ所定距離隔てた位置に上方へ突出して設けられた複数の突起部である。第６の構成要素は、前記カバー部の内側に設けられ、前記可動ガイド部材が前記基準位置にあって前記カバー部が閉じられた状態において、前記複数の突起部に上方から近接する又は接する規制部である。
【発明の効果】
【００１５】
本発明によれば、カバー部が閉じられた状態において、前記複数の突起部及び前記規制部によって前記可動ガイド部材の浮き上がりが制限され、可動ガイド部材が前記基準位置に正しく保持される簡易な機構を実現することができる。また、前記既定の経路の幅方向において、前記可動ガイド部材における前記脚部の位置と前記突起部の位置とがずれている。さらに、前記可動ガイド部材は、前記既定の経路の幅方向において可撓性を有している。そのため、前記カバー部が閉じられる際に、前記規制部が前記複数の突起部に衝突した場合でも、その衝突の衝撃は、前記可動ガイド部材の撓みによって吸収される。そのため、その衝突による前記規制部及び前記複数の突起部の破損は回避される。
【図面の簡単な説明】
【００１６】
【図１】本発明の一実施形態に係る画像形成装置１の断面図。
【図２】画像形成装置１において開閉式シートトレイが開かれた状態を表す断面図。
【図３】画像形成装置１における第２給紙ローラの近辺の断面図。
【図４】画像形成装置１における可動ガイド部材の斜視図。
【図５】画像形成装置１においてカバー部が開かれた状態を表す断面図。
【発明を実施するための形態】
【００１７】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１８】
まず、図１に示される断面図を参照しつつ、本発明の一実施形態に係る画像形成装置１の全体構成について説明する。画像形成装置１は、画像が転写される媒体である紙又はＰＥＴ製シート等のシート材にトナーの画像を形成する電子写真方式の画像形成装置である。また、画像形成装置１は、シート材の表裏両面にトナーの画像を形成可能な両面プリント式の画像形成装置である。
【００１９】
図１に示されるように、画像形成装置１は、スキャナ部２、給紙カセット３、第１給紙ローラ１０、レジストローラ２０、画像転写ユニット３０、定着装置４０、排紙ローラ６０、ターンバック用従動ローラ５０、ターンバック用駆動ローラ９００、排紙トレイ４、カバー部５、開閉式シートトレイ６、第２給紙ローラ７０、可動ガイド部材８０等を備えている。図１に示される画像形成装置１は、プリンタ及び複写機として機能し、さらに、ファクシミリ装置としても機能する、いわゆる複合機である。
【００２０】
前記スキャナ部２は、原稿から画像を読み取って画像データを生成する装置である。前記給紙カセット３は、複数枚のシート材を収容する容器である。前記第１給紙ローラ１０は、前記給紙カセット３に収容されたシート材を一枚ずつ既定の搬送経路へ送り出すローラである。前記レジストローラ２０は、前記第１給紙ローラ１０によって送り出されたシート材を把持し、そのシート材を所定のタイミングで前記画像転写ユニット３０へ送り出す一対のローラである。
【００２１】
また、画像形成装置１は、前記第１給紙ローラ１０の他に、第２給紙ローラ７０も備えている。この第２給紙ローラ７０は、後述する開閉式シートトレイ６に載置されたシート材を装置外から装置内に搬入する装置であり、搬入部の一例である。前記第２給紙ローラ７０から供給されるシート材も、前記レジストローラ２０を経て前記画像転写ユニット３０へ搬送される。即ち、前記第１給紙ローラ１０及び前記第２給紙ローラ７０それぞれに対応するシート材の搬送経路は、前記レジストローラ２０の手前で合流する。
【００２２】
前記画像転写ユニット３０は、前記レジストローラ２０から搬送されてくるシート材をさらに後段の前記定着装置４０へ搬送しつつ、そのシート材にトナー画像を転写する装置である。前記画像転写ユニット３０は、像担持体である感光体ドラム、及びその感光体ドラムの周囲に配置された複数の機器から構成される。前記感光体ドラムの周囲には、帯電装置、露光装置、現像装置、転写装置及びクリーニング装置等が配置されている。
【００２３】
前記定着装置４０は、前記画像転写ユニット３０から搬送されてくるシート材をさらに後段へ搬送しつつ、そのシート材に転写されたトナーをそのシート材に溶着させる装置である。
【００２４】
前記排紙ローラ６０は、前記定着装置４０から搬送されてくるシート材を前記排紙トレイ４へ排出するローラである。さらに、前記排紙ローラ６０は、一方の面に画像が形成されたシート材を、両面プリントのために反転させて搬送するターンバックローラとしても機能する。前記排紙ローラ６０により反転して搬送されたシート材は、前記ターンバック用駆動ローラ９００及び前記ターンバック用従動ローラ５０によって下方に搬送され、前記可動ガイド部材８０を経て、再び、前記レジストローラ２０及び前記画像転写ユニット３０へ搬送される。
【００２５】
また、画像形成装置１は、その側面を開閉可能に支持されたカバー部５を備えている。より具体的には、前記カバー部５は、その下部において不図示の支軸により回動可能に支持されている。前記カバー部５は、立てられて保持された閉状態から外側へ向かう方向２０１へ回動されることにより、横方向に倒された開状態となる。前記カバー部は、シート材の搬入部である前記第２給紙ローラ７０が配置された領域を含む側面のほぼ全体を外側から開閉可能に支持されている。さらに、前記カバー部５は、画像形成装置１の本体に対する閉状態の保持及びその閉状態の解除を行うロック機構を備えている。なお、前記ロック機構は図示されていない。
【００２６】
また、画像形成装置１は、前記カバー部５の下部を開閉可能に支持された開閉式シートトレイ６を備えている。図２は、前記開閉式シートトレイ６が開かれた状態を表す断面図である。前記開閉式シートトレイ６は、閉じられた前記カバー部５における前記第２給紙ローラ７０に連通する部分を外側から開閉可能に支持されている。より具体的には、前記開閉式シートトレイ６は、その下部において不図示の支軸により回動可能に支持されている。そのため、前記開閉式シートトレイ６は、装置本体の側面に沿う直立状態から外側へ向かう方向２０３と、横方向に倒された開状態から装置本体へ向かう方向２０４とへ回動可能である。
【００２７】
また、前記開閉式シートトレイ６は、開かれた状態において、前記第２給紙ローラ７０へ供給されるシート材が載置される。図２に示される前記開閉式シートトレイ６は、複数のトレイからなる引き出し構造により、伸縮自在に構成されている。そして、前記開閉式シートトレイ６は、最も小さく収縮された状態で、前記カバー部５に収容される。
【００２８】
前記開閉式シートトレイ６に載置されたシート材は、前記第２給紙ローラ７０により、前記レジストローラ２０及び前記画像転写ユニット３０へ向かう搬送経路へ一枚ずつ送り出される。前記第２給紙ローラ７０の後段には、シート材を前記レジストローラ２０へ向かう既定の経路に導く可動ガイド部材８０が設けられている。
【００２９】
画像形成装置１は、複写機として機能する場合、不図示のコントローラによる制御の下、以下のように動作する。まず、前記スキャナ部２が原稿から画像を読み取り、前記第１給紙ローラ１０又は前記第２給紙ローラ７０と前記レジストローラ２０とがシート材を前記画像転写ユニット３０へ搬送する。次に、前記画像転写ユニット３０が、前記スキャナ部２により得られた画像データ応じたトナー像をシート材の一方の面に転写する。次に、前記定着装置４０が、シート材上のトナーを加熱してシート材に定着させる。最後に、前記排紙ローラ６０が、画像が形成されたシート材を前記排紙トレイ４へ排出する。
【００３０】
また、画像形成装置１は、プリンタとして機能する場合、前記スキャナ部２による画像の読み取り処理の代わりに、不図示の通信インターフェース及び制御部が、外部の計算機からの画像データの受信処理を実行する。同様に、画像形成装置１は、ファクシミリ装置として受信処理を行う場合、前記スキャナ部２による画像の読み取り処理の代わりに、不図示のモデム及び制御部が、電話回線を通じて他のファクシミリ装置からの着信処理及び画像データの受信処理を実行する。
【００３１】
次に、図３及び図５に示される断面図と図４に示される斜視図とを参照しつつ、前記第２給紙ローラ７０の周辺部について詳しく説明する。なお、図３において、前記カバー部５及び前記開閉式シートトレイ６の記載は省略されている。
【００３２】
前記第２給紙ローラ７０は、前記開閉式シートトレイ６に載置されたシート材の装置内への搬入口に配置されている。前記第２給紙ローラ７０には、下方から摩擦パッド１１０が弾性付勢されている。前記開閉式シートトレイ６に載置されたシート材は、回転する前記第２給紙ローラ７０と前記摩擦パッド１１０との作用により、１枚ずつ装置内へ搬入される。
【００３３】
画像形成装置１において、シート材を横方向に装置内へ搬入する前記第２給紙ローラ７０から、シート材を上方向へ搬送する前記レジストローラ２０及び前記画像転写ユニット３０に至る区間は、シート材が比較的急なカーブで約９０°の方向転換が行われる区間である。そのため、その区間は、シート材のジャム（詰まり）が生じやすい区間である。そこで、画像形成装置１は、前記第２給紙ローラ７０から前記レジストローラ２０に至る区間に配置された可動ガイド部材８０を備えている。
【００３４】
前記第２給紙ローラ７０により装置内に供給されるシート材は、前記第２給紙ローラ７０の後段に配置された下側シートガイド部１２０及び上側シートガイド部８２の間に進入する。前記下側シートガイド部１２０及び前記上側シートガイド部８２は、前記第２給紙ローラ７０から後段へ続く既定の経路である第１の搬送経路３０１に沿ってシート材を案内する部分である。前記上側シートガイド部８２は、前記可動ガイド部材８０の一部に形成されている。
【００３５】
図４は、前記可動ガイド部材８０の斜視図である。前記可動ガイド部材８０は、一体成型された樹脂の部材である。例えば、前記可動ガイド部材８０は、ＡＢＳ、ポリカーボネート、ポリスチレン等の樹脂からなる部材である。前記可動ガイド部材８０は、回動中心となる被支持部８１と、前記上側シートガイド部８２と、２つの脚部８３とが形成されている。さらに、前記上側シートガイド部８２における、前記第１の搬送経路３０１に沿う面に対して反対側の面には、２つの突起部８４と、複数のリブ８５と、ローラカバー部８６とが形成されている。
【００３６】
前記可動ガイド部材８０は、その長手方向が前記第１の搬送経路３０１の幅方向、即ち、搬送されるシート材の幅方向に沿うように配置される。また、前記可動ガイド部材８０は、長手方向の両端の前記被支持部８１が、本体装置側の軸受部によって支持されることにより、回動可能に支持されている。その結果、前記可動ガイド部材８０は、前記上側シートガイド部８２が前記第１の搬送経路３０１に架け渡された状態で、上下方向に回動可能に支持される。
【００３７】
また、複数の前記リブ８５は、それぞれシート材の搬送方向を長手方向とし、前記上側シートガイド部８２の長手方向に配列されている。複数の前記リブ８５は、シート材の搬送方向における前記可動ガイド部材８０が撓まないよう補強する補強部として機能する。そのため、樹脂の一体成型品である前記可動ガイド部材８０は、前記第１の搬送経路３０１の幅方向、即ち、その長手方向において可撓性を有しているが、シート材の搬送方向においてはほとんど撓まない。
【００３８】
また、複数の前記リブ８５は、図１に示される前記排紙ローラ６０によって搬送方向が反転されたシート材を、前記レジストローラ２０及び前記画像転写ユニット３０へ導くガイド部としても機能する。そのため、複数の前記リブ８５は、それらの頭頂部が方向反転されたシート材の搬送経路である第２の搬送経路３０２に沿うように形成されている。なお、前記カバー部５には、それが閉じられた状態において、前記リブ８５とともに前記第２の搬送経路経路３０２に沿ってシート材を案内するカバー部側シートガイド部９２，９３が設けられている。
【００３９】
また、前記可動ガイド部材８０に設けられた前記ローラカバー部８６は、前記第２給紙ローラ７０の一部を覆う部分である。このローラカバー部８６は、前記第２の搬送経路３０２に沿って搬送されるシート材が誤って前記第２給紙ローラ７０に巻き込まれることを防ぐ。
【００４０】
２つの前記脚部８３は、前記可動ガイド部材８０における前記第１の搬送経路３０１の左右の端の外側の位置の下部に設けられている。より具体的には、２つの前記脚部８３は、前記上側シートガイド部８２の長手方向における両端部に設けられている。そして、２つの前記脚部８３が、所定の固定部に載置されることにより、前記可動ガイド部材８０は、前記上側シートガイド部８２が前記第１の搬送経路３０１に沿う基準位置に保持される。図３は、前記可動ガイド部材８０が前記基準位置に保持された状態を表す。例えば、２つの前記脚部８３は、前記第１の搬送経路３０１に沿って固定された前記下側シートガイド１２０の左右の端部に載置される。
【００４１】
前記可動ガイド部材８０は、その自重によって前記基準位置に保持され、前記第２給紙ローラ７０側の部分が持ち上げられると、前記被支持部８１を回動中心として上方向に回動しする。これにより、前記可動ガイド部材８０は、前記上側シートガイド部８２が前記第１の搬送経路３０１から離間した待避位置に移動する。図５は、前記カバー部５が開かれ、かつ、前記可動ガイド部材８０が前記待避位置にある状態を表している。なお、図５において、前記カバー部５及び前記開閉式シートトレイ６の一部等の記載が省略されている。前記可動ガイド部材８０が前記待避位置に移動されれば、前記第１の搬送経路３０１の下側が解放されるため、画像形成装置１は、シート材の詰まりを容易に解除できる状態となる。
【００４２】
ところで、前記開閉式シートトレイ６から供給されるシート材を案内する前記可動ガイド部材８０は、シート材の押圧力によって揺動すると、それを支持する固定部に連続的に衝突して音を発生し、その音が、前記第２給紙ローラ７０が配置された搬入口から外部に漏れて大きな騒音となる。従って、前記カバー部５が閉じられた状態では、前記可動ガイド部材８０が前記基準位置に正しく保持されることが重要である。
【００４３】
画像形成装置１においては、前記カバー部５が閉じられた状態において、前記可動ガイド部材８０に設けられた２つの前記突起部８４及び前記カバー部５の内側に設けられた規制部９１が、前記可動ガイド部材の浮き上がりを制限する。
【００４４】
２つの前記突起部８４は、前記可動ガイド部材８０における前記第１の搬送経路３０１の左右の端から内側へ所定距離隔てた位置に上方へ突出して設けられている。即ち、２つの前記突起部８４は、前記第１の搬送経路３０１の幅方向において、２つの前記脚部８３よりも内側に設けられている。例えば、２つの前記脚部８３の間隔が３００ｍｍ程度である場合、２つの前記突起部８４は、２つの前記脚部８３各々を起点として２０ｍｍから３０ｍｍ程度内側に設けられる。
【００４５】
一方、前記規制部９１は、前記カバー部５の内側に設けられ、前記可動ガイド部材８０が前記基準位置にあり、かつ、前記カバー部５が閉じられた状態において、２つの前記突起部に上方から接する又は近接するように設けられている。これにより、前記カバー部５が閉じられた状態において、前記規制部９１が、２つの前記突起部８４の上方への移動範囲を制限し、ひいては前記可動ガイド部材８０の上方への移動を制限する。
【００４６】
従って、画像形成装置１においては、腰の強いシート材が前記第１の搬送経路３０１を通過する場合でも、前記突起部８４及び前記規制部９１の作用により、前記可動ガイド部材８０が前記基準位置近辺に正しく保持される。その結果、前記可動ガイド部材８０が揺動することによる騒音の発生が防止される。しかも、前記可動ガイド部材８０の保持機構が、ごく簡易な構造により実現される。
【００４７】
また、前記第１の搬送経路３０１の幅方向において、前記可動ガイド部材８０における前記脚部８３の位置と前記突起部８４の位置とがずれている。さらに、前記可動ガイド部材８０は、前記第１の搬送経路３０１の幅方向において可撓性を有している。そのため、前記カバー部５が本体装置の内側へ向かう方向２０２へ回動されて閉じられる際に、前記規制部９１が前記突起部８４に衝突した場合でも、その衝突の衝撃は、前記可動ガイド部材８０の撓みによって吸収される。そのため、その衝突による前記規制部９１及び前記突起部８４の破損は回避される。
【００４８】
以上に示した画像形成装置１は、前記可動ガイド部材８０が、前記被支持部８１を回動中心として回動可能に支持された構造を有するが、他の構造が採用されることも考えられる。例えば、前記可動ガイド部材８０が、前記基準位置と前記上側シートガイド部８２が前記第１の搬送経路３０１から離間する退避位置との間で直線的にスライド可能に支持されることが考えられる。また、前記可動ガイド部材８０における２つの前記脚部８３の内側に、３つ以上の前記突起部８４が設けられることも考えられる。
【産業上の利用可能性】
【００４９】
本発明は、画像形成装置に利用可能である。
【符号の説明】
【００５０】
１  画像形成装置
２  スキャナ部
３  給紙カセット
４  排紙トレイ
５  カバー部
６  開閉式シートトレイ
１０  第１給紙ローラ
２０  レジストローラ
３０  画像転写ユニット
３０  転写ユニット
４０  定着装置
５０  ターンバック用従動ローラ
６０  排紙ローラ
７０  第２給紙ローラ
８０  可動ガイド部材
８１  被支持部
８２  上側シートガイド部
８３  脚部
８４  突起部
８５  リブ
８６  ローラカバー部
９１  規制部
９２，９３  カバー部側シートガイド部
１１０  摩擦パッド
１２０  下側シートガイド部
３０１  第１の搬送経路
３０２  第２の搬送経路
９００  ターンバック用駆動ローラ
【図１】
2011063334.tif 000003
【図２】
2011063334.tif 000004
【図３】
2011063334.tif 000005
【図４】
2011063334.tif 000006
【図５】
2011063334.tif 000007